(57)【要約】【課題】剥離フィルム付き貼付剤の表面剥離フィルムを剥がして貼付剤を患部に容易、正確に貼り付けるための貼付用補助具を提供する。【解決手段】一対の二つ折り取っ手部品で構成し、各取っ手部品は短辺が長方形貼付剤の短辺に等しく、長辺は貼付剤長辺の２倍以上の長方形フィルムの長辺中央部表面に狭幅の帯状接着剤層を形成して表面を剥離フィルムで覆い、該帯状接着剤層の片側辺を折り目として接着剤層を外側にして折り畳んで構成する。貼付剤の３分割剥離フィルムの分割線外側に前記取っ手部品を剥離フィルムを剥がして対称に貼り付け、中央剥離フィルムを剥がして露出した膏体で患部に貼りつける。一方の二つ折り取っ手部品の患部とは反対側取っ手状フィルムを反対側に折り重ねて患部側に軽く押し付け、残る取っ手状フィルムを患部表面に平行に外方に緩い速度で引き、膏体を剥離フィルムから剥がして患部に貼り付ける。他方も同様に行なう。【選択図】図４
2017035581.tif 000002
【特許請求の範囲】
【請求項１】
長方形裏打ち支持体表面に積層した粘着性膏体表面を長辺中央付近に設けた２本の直線又は２本の波線を境界に３分割した剥離フィルムで覆った３層構造貼付剤の剥離フィルムを剥がして目的部位に貼付するための剥離フィルム付き貼付剤の貼付用補助具であって、
該補助具は一対の二つ折り取っ手部品で構成され、各二つ折り取っ手部品は短辺が前記長方形貼付剤の短辺に等しく、長辺は貼付剤長辺の２倍以上の長さの長方形フィルムの長辺中央部表面に長辺に直角な狭い幅の帯状接着剤層を形成してその表面を剥離フィルムで覆い、該帯状接着剤層の片側辺を折り目として該接着剤層が外側になるように二つ折りに折り畳んで構成してあり、
使用に際しては、前記各二つ折り取っ手部品の剥離フィルムを剥がし、各二つ折り取っ手部品の前記二つ折り線を貼付剤の前記３分割された剥離フィルムの２本の直線又は波線境界の外側に接近させた位置にして、折り畳みで重なった各２枚の取っ手状フィルムを分割線とは反対側に向けた状態で２本の分割線間の中央線に対して対称に貼りつけ、該状態にて貼付剤の中央部剥離フィルムを剥がし、露出した粘着性膏体部でもって一対の二つ折り取っ手部品が接着された貼付剤を患部に貼りつけ、該状態にて一方の二つ折り取っ手部品の折り畳みで重なった２枚の取っ手状フィルムのうちの患部とは反対側の取っ手状フィルムを折り目を軸に１８０度旋回させて他方の二つ折り取っ手部品の上に折り重ね、該状態にて折り重ねた取っ手状フィルムを手で患部側に軽く押し付け、該状態にて旋回させずに残った取っ手状フィルムを患部表面に平行に貼付剤長手中心線から遠ざかる方向に緩い速度で引くことにより該取っ手状フィルムの前記接着剤層に貼り付いていた貼付剤の３分割された剥離フィルムの一方の剥離フィルムを同じ方向に移動させ、該移動により該剥離フィルムに貼り付いていた粘着性膏体を剥離フィルムから剥がして反対側の患部表面に貼り付かせ、該剥離フィルム全体が粘着性膏体から剥がれたときに該剥離フィルムに貼り付いていた粘着性膏体が患部表面に貼り付いた状態となって貼付剤の中央部とその一方の片側粘着性膏体の患部表面への貼り付けが完了し、続いて残った他方の二つ折り取っ手部品の二つ折りで重なった２枚の取っ手状フィルムのうちの患部とは反対側の取っ手状フィルムを前記一方の二つ折り取っ手部品の場合と同様に折り目を軸に１８０度旋回させて貼付完了した裏打ち支持体の上に折り重ね、該状態にて折り重ねた取っ手状フィルムを手で患部側に軽く押し付け、該状態にて前記一方の取っ手状フィルムの場合と同様に旋回させずに残った取っ手状フィルムを患部表面に平行に貼付剤長手中心線から遠ざかる方向に緩い速度で引くことにより該取っ手状フィルムに貼り付いていた粘着性膏体を同じ方向に移動させ、該移動により該剥離フィルムに貼り付いていた粘着性膏体を剥離フィルムから剥がして反対側の患部表面に貼り付かせ、該剥離フィルム全体が粘着性膏体から剥がれたときに該剥離フィルムに貼り付いていた粘着性膏体全体が患部表面に貼り付いた状態となって貼付剤の他方の片側粘着性膏体の患部表面への貼り付けが完了し、これにより貼付剤の中央部とその両側に広がる粘着性膏体全体の患部表面への貼り付けが完了するように構成されていることを特徴とする剥離フィルム付き貼付剤の貼付用補助具。
【発明の詳細な説明】
【技術分野】
【０００１】
本発明は、消炎、鎮痛等を目的とした剥離フィルム付き貼付剤を背中などの見えない部位や手の届きにくい部位に貼付する際に、表面の剥離フィルムを上手く剥がして貼付剤が目的とする部位に容易、且つ正確に貼付されるように補助する剥離フィルム付き貼付剤の貼付用補助具に関する。
【背景技術】
【０００２】
肩こり、腰痛、打撲、捻挫等の治療剤として各種の外用貼付剤が市販されている。これら貼付剤は不織布、紙等の裏打ち支持体上に薬効成分を有する粘着性膏体を塗布し、その表面をポリエチレン等の剥離フィルムで覆った積層構造をしている。通常、長方形に切断して市販されている。膏体を覆う剥離フィルムには全体が１枚構成のもの、中央にミシン目または切り目を入れた２枚構成のもの、切り目を２本入れた３枚構成のものがある。使用に際しては剥離フィルムを剥がし、裏打ち支持体を手で持ち膏体を患部に貼り付ける。
【０００３】
しかし、裏打ち支持体は柔らかく膏体は粘着性が極めて高いため、剥離フィルムを剥がして患部に貼付する間に膏体に皺が生じたり、粘着面同士が貼り付いたり、粘着面が衣服に貼り付いたりし易い。特に、背中、腰などの見えにくい部位や手の届きにくい部位に貼付する際にそうした問題が生じ易く、また、そうした貼り付きに注意する余り、目的部位から外れた個所に貼り付けてしまうことも多い。
【０００４】
こうした問題を解決するため、従来、各種の解決策が提案されている。例えば、特許文献１には剛性を有する平板からなり、該平板に貼付剤の対向する２辺を挿入・保持する複数の挿入口を形成した貼付剤貼付用補助具が開示されている。しかし、この補助具の場合、３分割された剥離フィルムの中央剥離フィルムを剥がして患部に貼りつけた後に補助具を取り外し、更に貼付剤表面に残る２枚の剥離フィルムを手で剥がす必要がある。こうした作業中に膏体に皺ができたり、膏体の粘着面が手について膏体が意図しない個所に貼りついたりする問題がある。
【０００５】
また、特許文献２には剥離フィルムを２枚で構成し、１枚は膏体面の中間部位で上に折り曲げ、その折り曲げ部の上側に２枚目の剥離フィルムを重合した状態で膏体に貼付した貼用薬が開示されている。特許文献３にも類似構造のパップ剤が開示されている。しかし、これら貼用薬、パップ剤は剥離フィルムを剥がすには便利ではあるが、貼付前に片方の剥離フィルムを剥がし、膏体面を露出させて貼り付ける際に膏体に皺ができたり衣服等に貼り付いたりすることを完全には防止できない。また、剥がす際に手で掴む剥離フィルムの端部が四角形状貼用薬の中央付近に位置するため、見えない部位や手の届きにくい部位への貼付には困難を伴う。
【先行技術文献】
【特許文献】
【０００６】
【特許文献１】特開２００８−３５９３４号公報
【特許文献２】特開２０００−３５１７２７号公報
【特許文献３】特開２０００−２１９６２２号公報
【発明の開示】
【発明が解決しようとする課題】
【０００７】
本発明は、従来技術のこうした問題点を解決するためになされたもので、その課題は消炎、鎮痛等を目的とした剥離フィルム付き貼付剤を見えない部位や手の届きにくい部位に貼付する際に、表面の剥離フィルムを上手く剥がして貼付剤が目的とする部位に容易、且つ正確に貼付されるように補助する剥離フィルム付き貼付剤の貼付用補助具を提供することにある。
【課題を解決するための手段】
【０００８】
前記課題を解決するための請求項１に記載の発明は、長方形裏打ち支持体表面に積層した粘着性膏体表面を長辺中央付近に設けた２本の直線又は２本の波線を境界に３分割した剥離フィルムで覆った３層構造貼付剤の剥離フィルムを剥がして目的部位に貼付するための剥離フィルム付き貼付剤の貼付用補助具であって、該補助具は一対の二つ折り取っ手部品で構成され、各二つ折り取っ手部品は短辺が前記長方形貼付剤の短辺に等しく、長辺は貼付剤長辺の２倍以上の長さの長方形フィルムの長辺中央部表面に長辺に直角な狭い幅の帯状接着剤層を形成してその表面を剥離フィルムで覆い、該帯状接着剤層の片側辺を折り目として該接着剤層が外側になるように二つ折りに折り畳んで構成してあり、使用に際しては、前記各二つ折り取っ手部品の剥離フィルムを剥がし、各二つ折り取っ手部品の前記二つ折り線を貼付剤の前記３分割された剥離フィルムの２本の直線又は波線境界の外側に接近させた位置にして、折り畳みで重なった各２枚の取っ手状フィルムを境界線とは反対側に向けた状態で２本の境界線間の中央線に対して対称に貼りつけ、該状態にて貼付剤の中央部剥離フィルムを剥がし、露出した粘着性膏体部でもって一対の二つ折り取っ手部品が接着された貼付剤を患部に貼りつけ、該状態にて一方の二つ折り取っ手部品の折り畳みで重なった２枚の取っ手状フィルムのうちの患部とは反対側の取っ手状フィルムを折り目を軸に１８０度旋回させて他方の二つ折り取っ手部品の上に折り重ね、該状態にて折り重ねた取っ手状フィルムを手で患部側に軽く押し付け、該状態にて旋回させずに残った取っ手状フィルムを患部表面に平行に貼付剤長手中心線から遠ざかる方向に緩い速度で引くことにより該取っ手状フィルムの前記接着剤層に貼り付いていた貼付剤の３分割された剥離フィルムの一方の剥離フィルムを同じ方向に移動させ、該移動により該剥離フィルムに貼り付いていた粘着性膏体を剥離フィルムから剥がして反対側の患部表面に貼り付かせ、該剥離フィルム全体が粘着性膏体から剥がれたときに該剥離フィルムに貼り付いていた粘着性膏体が患部表面に貼り付いた状態となって貼付剤の中央部とその一方の片側粘着性膏体の患部表面への貼り付けが完了し、続いて残った他方の二つ折り取っ手部品の二つ折りで重なった２枚の取っ手状フィルムのうちの患部とは反対側の取っ手状フィルムを前記一方の二つ折り取っ手部品の場合と同様に折り目を軸に１８０度旋回させて貼付完了した裏打ち支持体の上に折り重ね、該状態にて折り重ねた取っ手状フィルムを手で患部側に軽く押し付け、該状態にて前記一方の取っ手状フィルムの場合と同様に旋回させずに残った取っ手状フィルムを患部表面に平行に貼付剤長手中心線から遠ざかる方向に緩い速度で引くことにより該取っ手状フィルムに貼り付いていた粘着性膏体を同じ方向に移動させ、該移動により該剥離フィルムに貼り付いていた粘着性膏体を剥離フィルムから剥がして反対側の患部表面に貼り付かせ、該剥離フィルム全体が粘着性膏体から剥がれたときに該剥離フィルムに貼り付いていた粘着性膏体全体が患部表面に貼り付いた状態となって貼付剤の他方の片側粘着性膏体の患部表面への貼り付けが完了し、これにより貼付剤の中央部とその両側に広がる粘着性膏体全体の患部表面への貼り付けが完了するように構成されていることを特徴とする剥離フィルム付き貼付剤の貼付用補助具である。
【０００９】
このように膏体の中央部分のみを露出させて患部に貼り付けるので貼付剤を正確に位置決めして貼り付けることができる。この位置決めの際、膏体は中央の幅の狭い部分のみしか露出しておらず、他の部分は二つ折り取っ手部品で覆われているため意図しない部分に膏体が付着するのが防止される。また、膏体の中央部外側部分の貼り付けは二つ折り取っ手部品で膏体を剥離フィルムから剥がすと同時に、剥がれた膏体が直ぐに患部に貼り付けられるので膏体が意図しない部分に付着することはない。また、直ちに貼り付けられるので膏体に皺が生ずることもなく、膏体は患部に正確、且つきれいに貼り付けられる。
【図面の簡単な説明】
【００１０】
【図１】本発明の貼付用補助具１を用いる対象である貼付剤２の構造図である。
【図２】本発明の貼付用補助具１の平面図と断面図である。
【図３】貼付用補助具１の片側の二つ折り取っ手部品１ａの構造説明図である。
【図４】貼付用補助具１を貼付剤２に貼り付けた状態の構造図である。
【図５】貼付用補助具１の使用法の説明図である。
【図６】貼付用補助具１の使用法の説明図である。
【図７】貼付用補助具１の使用法の説明図である。
【図８】貼付用補助具１の使用法の説明図である。
【図９】貼付用補助具１の使用法の説明図である。
【図１０】貼付用補助具１の使用法の説明図である。
【図１１】貼付用補助具１の使用法の説明図である。
【図１２】貼付用補助具１の使用法の説明図である。
【図１３】貼付用補助具１の使用法の説明図である。
【図１４】貼付用補助具１の使用法の説明図である。
【発明を実施するための形態】
【００１１】
以下、本発明に係る剥離フィルム付き貼付剤の貼付用補助具の一実施形態について図面を参照して説明する。図１は本発明に係る貼付用補助具１を用いる対象である貼付剤２の構造の例であり、図１の（１）は断面図、図１の（２）、（３）は２種類の平面図である。貼付剤２は長方形をしており、不織布、紙等の裏打ち支持体３の上に薬効成分を有する粘着性の膏体４を塗布し、その表面をポリエチレン、紙、不織布等の剥離フィルム５で覆った３層構造になっている。剥離フィルム５は貼りやすいよう、また剥がしやすいように長辺中央部に２本の分割線５ｄ、５ｄを設けて３分割されている。図１の（２）は２本の分割線５ｄ、５ｄが波形の例、図１の（３）は直線の例である。本発明に係る貼付用補助具１は、このような貼付剤２を見えない部位や手の届きにくい部位に貼付する際に、表面の剥離フィルム５を上手く剥がし、貼付剤２が目的とする患部に容易、且つ正確に貼付されるように補助するものである。
【００１２】
本発明に係る貼付用補助具１は、一対の二つ折り取っ手部品１ａ、１ｂで構成される。図２の（１）は平面図、図２の（２）はその断面図である。二つ折り取っ手部品１ａ、１ｂは同一構成であり、図２はそれらを向かい合わせに対称に並べた図である。図３は一方の二つ折り取っ手部品１ａについての構造、製作法の説明図である。最初に図３の（１）に示すような長方形フィルム６を準備する。材料としてはポリエチレンフィルム、紙、不織布等を使用する。その短辺幅は図１に示した長方形貼付剤２の短辺幅に等しくし、長辺幅は貼付剤２の長辺幅の２倍以上とする。長方形フィルム６の長手方向中央下面側に狭い幅の帯状接着剤層７を長辺に直角に形成し、その表面を剥離フィルム９で覆っておく。この長方形フィルム５を図３の（３）の矢印に示すように、帯状接着剤層７の片側辺を折り目として帯状接着剤層７が外側になるように二つ折りに折り畳むと図２に示した一方の二つ折り取っ手部品１ａが完成する。他方の二つ折り取っ手部品１ｂも同様にして製作する。以後、図２の（２）に示すように、折り畳んだ状態における二つ折り取っ手部品１ａの帯状接着剤層７側のフィルム片を取っ手状フィルム１ａｓ、帯状接着剤層７とは反対側のフィルム片を取っ手状フィルム１ａｕと呼び、他方の二つ折り取っ手部品１ｂについても帯状接着剤層７側のフィルム片を取っ手状フィルム１ｂｓ、帯状接着剤層７とは反対側のフィルム片を取っ手状フィルム１ｂｕと呼ぶことにする。
【００１３】
次に、このように形成した貼付用補助具１を用いた貼付剤２の貼りつけ方について説明する。最初に貼付用補助具１の各二つ折り取っ手部品１ａ、１ｂの帯状接着剤層７を覆っている剥離フィルム９を手で剥がして取り去る。次に図４の（１）の平面図、図４の（２）の断面図に示すように、各二つ折り取っ手部品１ａ、１ｂの二つ折り線を、貼付剤２の３分割された剥離フィルム５の２本の境界線５ｄ、５ｄの外側に接近させた位置にし、折り畳みで重なった二つ折り取っ手部品１ａの取っ手状フィルム１ａｓ、１ａｕ、二つ折り取っ手部品１ｂの取っ手状フィルム１ｂｓ、１ｂｕを分割線５ｄ、５ｄとは反対側に向けた状態で対称に貼りつける。
【００１４】
次に、図５に示すように貼付剤２の中央の剥離フィルム５ｃを手で剥がして取り去り、粘着性膏体４の中央部を露出させる。中央の剥離フィルム５ｃは、貼付剤２を中央の剥離フィルム５ｃが外側になるようにして少し折り曲げると、剥離フィルム５ｃの周辺が膏体４表面から離れて少し浮き上がるので手で簡単に剥がしとることができる。次に、露出させた粘着性膏体４の中央部を目的とする患部にあてがい、二つ折り取っ手部品１ａ、１ｂに接着された状態の貼付剤２を図６に示すように患部８に貼りつける。これにより貼付剤２の粘着性膏体４の中央部が患部８に貼りついた状態となる。
【００１５】
次に、一方の二つ折り取っ手部品１ａの折り畳みで重なった２枚の取っ手状フィルム１ａｕ、１ａｓのうちの患部とは反対側の取っ手状フィルム１ａｓを引き起し、図７の矢印に示すように折り目を軸として１８０度旋回させて他方の二つ折り取っ手部品１ｂの上に図８に示すように折り重ねる。続いて、折り重ねた取っ手状フィルム１ａｓを患部８側に手で軽く押し付け、図９に示すように該状態にて旋回させなかった取っ手状フィルム１ａｕを患部８表面に平行に貼付剤２の長手中心線から遠ざかる方向（矢印方向）に緩い速度で引く。
【００１６】
取っ手状フィルム１ａｕが矢印方向に引かれて移動すると、その取っ手状フィルム１ａｕに帯状接着剤層７により接着されていた貼付剤２の片側の剥離フィルム５ａも一緒に矢印方向に移動する。貼付剤２の粘着性膏体４の中央部は患部８表面に貼り付いた状態にあるため、剥離フィルム５ａが移動すると剥離フィルム５ａに接着されていた粘着性膏体４は剥離フィルム５ａから剥がされて患部８表面に貼りつけられる。取っ手状フィルム１ａを引いて移動させる際には、反対側の取っ手状フィルム１ａｓが浮き上がらないように、また、剥離フィルム５ａから剥がされた粘着性膏体４が患部８表面に確実に貼り付けられるように、取っ手状フィルム１ａｓを患部８側に手で軽く押し付けておく。
【００１７】
取っ手状フィルム１ａｕの移動を継続すると、遂には剥離フィルム５ａに接着されていた粘着性膏体４の全体が剥離フィルム５ａから剥がれ、図１０に示すように粘着性膏体４の中央部及び剥離フィルム５ａに貼り付いていた部分が患部８表面に貼り付いた状態となる。これにより貼付剤２の片側部分の貼り付けが完了する。
【００１８】
続いて、貼付剤２の残りの片側部分、即ち、二つ折り取っ手部品１ｂの取っ手状フィルム１ｂｕに貼り付いている部分の患部８への貼り付けを行なう。この貼り付け方は前記と同じである。まず、図１１に示すように取っ手状フィルム１ｂｓを引き起し、図１２に示すように反対側に折り重ねる。折り重ねた取っ手状フィルム１ｂｓを患部８側に手で軽く押し付けた状態で、図１３に示すように取っ手状フィルム１ｂｕを貼付剤２の長手中心線から遠ざかる方向（矢印方向）に緩い速度で引く。これにより取っ手状フィルム１ｂｓに接着されていた剥離フィルム５ｂも一緒に矢印方向に移動する。その移動により剥離フィルム５ｂに貼り付いていた粘着性膏体４は剥離フィルム５ｂから剥がされて患部８表面に貼りつけられる。そして、最終的に図１４に示すように貼付剤２の全体が患部８に貼りつけられた状態となり、貼り付け作業が完了する。
【００１９】
このように本発明の剥離フィルム付き貼付剤の貼付用補助具１は、最初に貼付剤２表面の３分割された左右の剥離フィルム５ａ、５ｂの中央寄り部分に一対の二つ折り取っ手部品１ａ、１ｂを左右対称に貼り付け、その後で剥離フィルム５の中央部分５ｃを剥がしてその部分の膏体４を露出させて患部８に貼り付ける。このように膏体４の中央部分のみを露出させて患部８に貼り付けるので貼付剤２を正確に位置決めして貼り付けることができる。この位置決めの際、膏体４は中央の幅狭部分のみしか露出しておらず、他の部分は二つ折り取っ手部品１ａ、１ｂで覆われているため膏体４が意図しない部分に付着するのが防止される。
【００２０】
続く、膏体４の残り部分の患部８への貼り付けは、貼付剤２の３分割された剥離フィルム５の両側フィルムに左右対称に貼り付けた各２枚構成の取っ手状フィルムを広げ、一方の取っ手状フィルムで貼付剤２全体を患部８側へ軽く押し付け、他方の取っ手状フィルムを外方向に引いて剥離フィルム５を剥がしながら、剥がされた裏打ち支持体３で支持された膏体４を患部８に貼り付ける動作で行なう。剥離フィルム５から剥がされた膏体４は外面側が裏打ち支持体３で覆われた状態で即、患部８側に移行して貼り付けられるため貼り付けの際に膏体４が露出することはない。このため意図しない部分に膏体４が付着したり、膏体４の表面同士が貼り付いたりすることが防止される。また、このような貼り付け方のため膏体４に皺や歪みが生じることはなく、背中、腰などの見えにくい部位や手の届きにくい部位にも容易、且つ正確に貼り付けることができる。
【符号の説明】
【００２１】
図面中、１は貼付用補助具、１ａ、１ｂは二つ折り取っ手部品、２は貼付剤、３は裏打ち支持体、４は膏体、５は剥離フィルム、５ｃ は中央部剥離フィルム、６は取っ手状フィルム、７は接着剤層、８は患部、９は剥離フィルムを示す。
【図１】
2017035581.tif 000003
【図２】
2017035581.tif 000004
【図３】
2017035581.tif 000005
【図４】
2017035581.tif 000006
【図５】
2017035581.tif 000007
【図６】
2017035581.tif 000008
【図７】
2017035581.tif 000009
【図８】
2017035581.tif 000010
【図９】
2017035581.tif 000011
【図１０】
2017035581.tif 000012
【図１１】
2017035581.tif 000013
【図１２】
2017035581.tif 000014
【図１３】
2017035581.tif 000015
【図１４】
2017035581.tif 000016